(57)【特許請求の範囲】
【請求項１】
手洗い台を含み、前記手洗い台の中には上方に開口した洗面器が固定され、前記手洗い台の上側には作動箱が設置され、前記作動箱の下端には前記作動箱を支える二つの支えブロックが固定され、前記作動箱の中には環状空間が設置され、前記環状空間の下端壁が外部空間と連通し、前記環状空間の中には回転可能な環状ブロックが設置され、前記環状ブロックの中には二つの移動空間が設置され、二つの前記移動空間が上方に開口しており、また二つの前記移動空間の下端壁が前記環状空間と連通し、前記移動空間の中には前記洗面器の内壁を洗浄できる洗い機構が設置され、前記洗い機構の下端が外部空間に位置しており、前記移動空間の中には前記洗い機構を左右に移動させられる移動機構が設置され、前記移動機構は前記移動空間の後端壁に設置された電動ガイドレールを含み、前記電動ガイドレールの前端には前記電動ガイドレールに駆動されて移動する移動ブロックが固定され、前記移動ブロックの中には上方に開口した旋転空間が設置され、前記旋転空間の左右端壁が旋転軸により回転可能に連結され、前記旋転軸には旋転歯車及びリールが固定的に連結され、前記旋転軸と前記旋転空間の端壁とが捻りばねにより固定的に連結され、前記環状空間の上端壁にはばね空間が設置され、前記ばね空間の下端壁が前記環状空間と連通し、前記ばね空間の中にはばねブロック及び前記ばねブロックの後端と前記ばね空間の後端壁を連結する伸縮ばねがスライド可能に連結され、前記ばねブロックの前端にはまた細紐が固定的に連結され、前記ばねブロックの下端には前記旋転歯車と噛み合うラックブロックが固定され、前記ラックブロックの下端が前記環状空間の中に位置し、前記リールにはまた引き紐が巻きつけられ、前記作動箱の中には前記洗面器に水を吹き付けられる水噴射機構が設置され、前記作動箱の中には前記環状ブロックを回転連動させ、かつ本願発明の作動に出力できる駆動機構が設置され、洗浄する時、前記作動箱を前記手洗い台に置き、前記駆動機構が作動して出力することにより、前記環状ブロックが回転し、そして前記移動機構が作動して前記洗い機構が移動し、前記水噴射機構が作動して前記洗面器に水を吹き付けると同時に、前記洗い機構が前記環状ブロックの回転とともに前記洗面器の内壁を洗浄することを特徴とするトイレ洗面器の洗浄装置。
【請求項２】
前記洗い機構は前記移動ブロックの下端に固定される移動ロッドを含み、前記移動ロッドの下端が外部空間に位置し、前記移動ロッドの中には下方に開口した上げ空間が設置され、前記上げ空間の中には上げロッド及び前記上げ空間の上端壁と前記上げロッドの上端を連結する上げばねが設置され、前記上げロッドの下端が外部空間に位置し、前記上げロッドの下側には連結板が設置され、前記連結板の下端にはスポンジが固定され、前記連結板の上端面には二つの回転板が固定され、二つの前記回転板の間には前記上げロッドの下端を貫通する回転軸が固定的に連結され、前記引き紐の下端が前記旋転空間の下端壁と前記上げ空間の上端壁を貫通し、かつ前記引き紐が前記上げロッドと固定的に連結され、前記上げロッドの上端にはまたロープが固定され、前記ロープの上端が前記上げ空間の上端壁と前記移動ブロックを貫通し、かつ前記ロープが前記移動空間において前記水噴射機構に近接する端壁と固定的に連結されることを特徴とする請求項１に記載のトイレ洗面器の洗浄装置。
【請求項３】
前記水噴射機構はピストン空間を含み、前記ピストン空間の中にはピストン及び前記ピストンを支える二つの昇降ばねが設置され、前記ピストンの中には環状溝が形成され、前記環状溝の下端壁が前記ピストン空間と連通し、前記環状溝の中には環状盤がスライド可能に連結され、前記ピストンの下端には鎖が固定され、前記鎖の下端が前記ピストン空間の中に位置し、前記ピストン空間の上端壁には外部空間と前記ピストン空間を連通させる水受けホースが設置され、前記水受けホースの上端が外部空間に位置し、前記ピストン空間の中には昇降ロッドが設置され、前記昇降ロッドは上端が前記ピストンを貫通して下端が外部空間に位置し、前記昇降ロッドの下端には回転ロッドが固定され、前記昇降ロッドの中には水通しパイプが設置され、前記水通しパイプは上端が前記ピストンの上側に位置するピストン空間と連通して下端が前記回転ロッドの内部に位置し、前記水通しパイプの下端の左端壁が前記回転ロッドの前端を貫通して外部空間と連通し、前記水通しパイプの下端の右端壁が前記回転ロッドの後端を貫通して外部空間と連通し、前記昇降ロッドにはまた二つの伝動板が固定的に連結され、二つの前記伝動板の下端が外部空間に位置し、前記環状ブロックの下端面には二つの伝動ロッドが固定的に連結され、二つの前記伝動ロッドの下端が外部空間に位置し、二つの前記伝動ロッドの下端が支え板により固定的に連結され、前記伝動板の下端と前記昇降ロッドの下端がいずれも前記支え板を貫通し、前記支え板の上端面にはまた前記伝動板を回転できるように押す位置制限ブロックが固定されることを特徴とする請求項１に記載のトイレ洗面器の洗浄装置。
【請求項４】
前記駆動機構はそれぞれ前記環状空間の左端壁と右端壁に位置する駆動空間を含み、前記駆動空間の下端壁には駆動軸が回転可能に連結され、右側の前記駆動空間の上端壁には前記駆動軸の上端と伝動可能に連結された駆動モーターが固定され、前記駆動軸の上端には糸巻き車が固定され、前記鎖の下端が前記ピストン空間の下端壁と右側の前記駆動空間の右端壁を貫通し、かつ前記糸巻き車に巻き付き、前記駆動軸の下端にはまた前記環状ブロックと噛み合う駆動車が固定的に連結され、前記駆動車の一端が前記環状空間の中に位置し、前記駆動空間の片側端壁には前記駆動空間と連通するスライド空間が設置され、前記スライド空間の中にはスライダがスライド可能に連結され、前記スライダの一端が前記駆動車と摩擦により連結され、前記細紐の前端が前記ばね空間の前端壁と前記スライド空間の前端壁を貫通し、かつ前記スライダと固定的に連結されることを特徴とする請求項３に記載のトイレ洗面器の洗浄装置。
【請求項５】
初期状態に、前記捻りばねが捻られた状態にあり、前記上げばねが圧縮された状態にあり、前記伸縮ばねが引っ張られた状態にあり、前記ロープが緩んだ状態にあり、他のばねは全部自然状態にあることを特徴とする請求項２に記載のトイレ洗面器の洗浄装置。
【請求項６】
前記駆動車と前記スライダとの間に存在する摩擦力は前記上げばねの弾性力と、前記捻りばねの弾性力と、前記伸縮ばねの弾性力との和より大きいことを特徴とする請求項４に記載のトイレ洗面器の洗浄装置。
【発明の詳細な説明】
【技術分野】
【０００１】
本願発明は台所とトイレ分野に関わり、具体的にはトイレ洗面器の洗浄装置である。
【背景技術】
【０００２】
洗面器は、トイレに不可欠なものであり、毎回、洗面器を使用した後、汚れが洗面器の壁に残され、長い時間積むと、汚れが洗面器の使用に影響を及ぼし、今、洗面器を洗浄することは一般的に、手動で行われ、これでは、効率が低下し、時間や力を費やし、洗面器内についた除去しにくい汚れを除去できるため、作業員は力をかなり入れる必要があり、特に、高層ビル内の大量の洗面器の洗浄に不便である。
【先行技術文献】
【特許文献】
【０００３】
【特許文献１】中国特許出願公開第１０２５６１４７２号明細書
【発明の概要】
【発明が解決しようとする課題】
【０００４】
本願発明はトイレ洗面器の洗浄装置を提供し、洗浄効率が低いなどの問題を解決する。
【課題を解決するための手段】
【０００５】
本願発明は以下の技術プランにより実現される。
【０００６】
本願発明はトイレ洗面器の洗浄装置であり、手洗い台を含み、前記手洗い台の中には上方に開口した洗面器が固定され、前記手洗い台の上側には作動箱が設置され、前記作動箱の下端には前記作動箱を支える二つの支えブロックが固定され、前記作動箱の中には環状空間が設置され、前記環状空間の下端壁が外部空間と連通し、前記環状空間の中には回転可能な環状ブロックが設置され、前記環状ブロックの中には二つの移動空間が設置され、二つの前記移動空間が上方に開口しており、また二つの前記移動空間の下端壁が前記環状空間と連通し、前記移動空間の中には前記洗面器の内壁を洗浄できる洗い機構が設置され、前記洗い機構の下端が外部空間に位置しており、前記移動空間の中には前記洗い機構を左右に移動させられる移動機構が設置され、前記移動機構は前記移動空間の後端壁に設置された電動ガイドレールを含み、前記電動ガイドレールの前端には前記電動ガイドレールに駆動されて移動する移動ブロックが固定され、前記移動ブロックの中には上方に開口した旋転空間が設置され、前記旋転空間の左右端壁が旋転軸により回転可能に連結され、前記旋転軸には旋転歯車及びリールが固定的に連結され、前記旋転軸と前記旋転空間の端壁とが捻りばねにより固定的に連結され、前記環状空間の上端壁にはばね空間が設置され、前記ばね空間の下端壁が前記環状空間と連通し、前記ばね空間の中にはばねブロック及び前記ばねブロックの後端と前記ばね空間の後端壁を連結する伸縮ばねがスライド可能に連結され、前記ばねブロックの前端にはまた細紐が固定的に連結され、前記ばねブロックの下端には前記旋転歯車と噛み合うラックブロックが固定され、前記ラックブロックの下端が前記環状空間の中に位置し、前記リールにはまた引き紐が巻きつけられ、前記作動箱の中には前記洗面器に水を吹き付けられる水噴射機構が設置され、前記作動箱の中には前記環状ブロックを回転連動させ、かつ本願発明の作動に出力できる駆動機構が設置され、洗浄する時、前記作動箱を前記手洗い台に置き、前記駆動機構が作動して出力することにより、前記環状ブロックが回転し、そして前記移動機構が作動して前記洗い機構が移動し、前記水噴射機構が作動して前記洗面器に水を吹き付けると同時に、前記洗い機構が前記環状ブロックの回転とともに前記洗面器の内壁を洗浄する。
【０００７】
好ましくは、前記洗い機構は前記移動ブロックの下端に固定される移動ロッドを含み、前記移動ロッドの下端が外部空間に位置し、前記移動ロッドの中には下方に開口した上げ空間が設置され、前記上げ空間の中には上げロッド及び前記上げ空間の上端壁と前記上げロッドの上端を連結する上げばねが設置され、前記上げロッドの下端が外部空間に位置し、前記上げロッドの下側には連結板が設置され、前記連結板の下端にはスポンジが固定され、前記連結板の上端面には二つの回転板が固定され、二つの前記回転板の間には前記上げロッドの下端を貫通する回転軸が固定的に連結され、前記引き紐の下端が前記旋転空間の下端壁と前記上げ空間の上端壁を貫通し、かつ前記引き紐が前記上げロッドと固定的に連結され、前記上げロッドの上端にはまたロープが固定され、前記ロープの上端が前記上げ空間の上端壁と前記移動ブロックを貫通し、かつ前記ロープが前記移動空間において前記水噴射機構に近接する端壁と固定的に連結される。
【０００８】
好ましくは、前記水噴射機構はピストン空間を含み、前記ピストン空間の中にはピストン及び前記ピストンを支える二つの昇降ばねが設置され、前記ピストンの中には環状溝が形成され、前記環状溝の下端壁が前記ピストン空間と連通し、前記環状溝の中には環状盤がスライド可能に連結され、前記ピストンの下端には鎖が固定され、前記鎖の下端が前記ピストン空間の中に位置し、前記ピストン空間の上端壁には外部空間と前記ピストン空間を連通させる水受けホースが設置され、前記水受けホースの上端が外部空間に位置し、前記ピストン空間の中には昇降ロッドが設置され、前記昇降ロッドは上端が前記ピストンを貫通して下端が外部空間に位置し、前記昇降ロッドの下端には回転ロッドが固定され、前記昇降ロッドの中には水通しパイプが設置され、前記水通しパイプは上端が前記ピストンの上側に位置するピストン空間と連通して下端が前記回転ロッドの内部に位置し、前記水通しパイプの下端の左端壁が前記回転ロッドの前端を貫通して外部空間と連通し、前記水通しパイプの下端の右端壁が前記回転ロッドの後端を貫通して外部空間と連通し、前記昇降ロッドにはまた二つの伝動板が固定的に連結され、二つの前記伝動板の下端が外部空間に位置し、前記環状ブロックの下端面には二つの伝動ロッドが固定的に連結され、二つの前記伝動ロッドの下端が外部空間に位置し、二つの前記伝動ロッドの下端が支え板により固定的に連結され、前記伝動板の下端と前記昇降ロッドの下端がいずれも前記支え板を貫通し、前記支え板の上端面にはまた前記伝動板を回転できるように押す位置制限ブロックが固定される。
【０００９】
好ましくは、前記駆動機構はそれぞれ前記環状空間の左端壁と右端壁に位置する駆動空間を含み、前記駆動空間の下端壁には駆動軸が回転可能に連結され、右側の前記駆動空間の上端壁には前記駆動軸の上端と伝動可能に連結された駆動モーターが固定され、前記駆動軸の上端には糸巻き車が固定され、前記鎖の下端が前記ピストン空間の下端壁と右側の前記駆動空間の右端壁を貫通し、かつ前記糸巻き車に巻き付き、前記駆動軸の下端にはまた前記環状ブロックと噛み合う駆動車が固定的に連結され、前記駆動車の一端が前記環状空間の中に位置し、前記駆動空間の片側端壁には前記駆動空間と連通するスライド空間が設置され、前記スライド空間の中にはスライダがスライド可能に連結され、前記スライダの一端が前記駆動車と摩擦により連結され、前記細紐の前端が前記ばね空間の前端壁と前記スライド空間の前端壁を貫通し、かつ前記スライダと固定的に連結される。
【００１０】
好ましくは、初期状態に、前記捻りばねが捻られた状態にあり、前記上げばねが圧縮された状態にあり、前記伸縮ばねが引っ張られた状態にあり、前記ロープが緩んだ状態にあり、他のばねは全部自然状態にある。
【００１１】
好ましくは、前記駆動車と前記スライダとの間に存在する摩擦力は前記上げばねの弾性力と、前記捻りばねの弾性力と、前記伸縮ばねの弾性力との和より大きい。
【発明の効果】
【００１２】
本願発明の効果は：本願発明は構成が簡単で、操作が便利であり、洗面器に対する洗浄を自動的に完成でき、手動操作が必要なく、洗面器の洗浄作業の効率を高め、また機械式の洗浄により、洗面器内部の汚れを除去でき、力を省く。
【図面の簡単な説明】
【００１３】
下記に図１〜６をあわせて本発明について詳しく説明し、便利に説明するために、下記の方向を以下のように規定する：図１は本発明装置の正面図であり、本願に記載の各方向が、図１と同じ向きに装置を見た際の方向である。
【００１４】
【図１】図１は本願発明の構成概略図
【図２】図２は図１のスライダの全体断面の左面拡大構成概略図
【図３】図３は図１のばねブロックの全体断面の左面拡大構成概略図
【図４】図４は図１の昇降ロッドの全体断面の左面拡大構成概略図
【図５】図５は図１の「Ａ」部の構成拡大概略図
【図６】図６は図１の「Ｂ」部の構成拡大概略図
【発明を実施するための形態】
【００１５】
附図１〜６に記載のトイレ洗面器の洗浄装置は、手洗い台１０を含み、前記手洗い台１０の中には上方に開口した洗面器１１が固定され、前記手洗い台１０の上側には作動箱２４が設置され、前記作動箱２４の下端には前記作動箱２４を支える二つの支えブロック１４が固定され、前記作動箱２４の中には環状空間２５が設置され、前記環状空間２５の下端壁が外部空間と連通し、前記環状空間２５の中には回転可能な環状ブロック２７が設置され、前記環状ブロック２７の中には二つの移動空間２２が設置され、二つの前記移動空間２２が上方に開口しており、また二つの前記移動空間２２の下端壁が前記環状空間２５と連通し、前記移動空間２２の中には前記洗面器１１の内壁を洗浄できる洗い機構７３が設置され、前記洗い機構７３の下端が外部空間に位置しており、前記移動空間２２の中には前記洗い機構７３を左右に移動させられる移動機構７１が設置され、前記移動機構７１は前記移動空間２２の後端壁に設置された電動ガイドレール２１を含み、前記電動ガイドレール２１の前端には前記電動ガイドレール２１に駆動されて移動する移動ブロック６３が固定され、前記移動ブロック６３の中には上方に開口した旋転空間５８が設置され、前記旋転空間５８の左右端壁が旋転軸６１により回転可能に連結され、前記旋転軸６１には旋転歯車６０及びリール５６が固定的に連結され、前記旋転軸６１と前記旋転空間５８の端壁とが捻りばね５７により固定的に連結され、前記環状空間２５の上端壁にはばね空間４８が設置され、前記ばね空間４８の下端壁が前記環状空間２５と連通し、前記ばね空間４８の中にはばねブロック４６及び前記ばねブロック４６の後端と前記ばね空間４８の後端壁を連結する伸縮ばね４５がスライド可能に連結され、前記ばねブロック４６の前端にはまた細紐４７が固定的に連結され、前記ばねブロック４６の下端には前記旋転歯車６０と噛み合うラックブロック４９が固定され、前記ラックブロック４９の下端が前記環状空間２５の中に位置し、前記リール５６にはまた引き紐５９が巻きつけられ、前記作動箱２４の中には前記洗面器１１に水を吹き付けられる水噴射機構７２が設置され、前記作動箱２４の中には前記環状ブロック２７を回転連動させ、かつ本願発明の作動に出力できる駆動機構７０が設置され、洗浄する時、前記作動箱２４を前記手洗い台１０に置き、前記駆動機構７０が作動して出力することにより、前記環状ブロック２７が回転し、そして前記移動機構７１が作動して前記洗い機構７３が移動し、前記水噴射機構７２が作動して前記洗面器１１に水を吹き付けると同時に、前記洗い機構７３が前記環状ブロック２７の回転とともに前記洗面器１１の内壁を洗浄する。
【００１６】
有益なように、前記洗い機構７３は前記移動ブロック６３の下端に固定される移動ロッド１９を含み、前記移動ロッド１９の下端が外部空間に位置し、前記移動ロッド１９の中には下方に開口した上げ空間１８が設置され、前記上げ空間１８の中には上げロッド１７及び前記上げ空間１８の上端壁と前記上げロッド１７の上端を連結する上げばね２０が設置され、前記上げロッド１７の下端が外部空間に位置し、前記上げロッド１７の下側には連結板１３が設置され、前記連結板１３の下端にはスポンジ１２が固定され、前記連結板１３の上端面には二つの回転板１５が固定され、二つの前記回転板１５の間には前記上げロッド１７の下端を貫通する回転軸１６が固定的に連結され、前記引き紐５９の下端が前記旋転空間５８の下端壁と前記上げ空間１８の上端壁を貫通し、かつ前記引き紐５９が前記上げロッド１７と固定的に連結され、前記上げロッド１７の上端にはまたロープ２３が固定され、前記ロープ２３の上端が前記上げ空間１８の上端壁と前記移動ブロック６３を貫通し、かつ前記ロープ２３が前記移動空間２２において前記水噴射機構７２に近接する端壁と固定的に連結される。
【００１７】
有益なように、前記水噴射機構７２はピストン空間６４を含み、前記ピストン空間６４の中にはピストン６９及び前記ピストン６９を支える二つの昇降ばね６５が設置され、前記ピストン６９の中には環状溝６７が形成され、前記環状溝６７の下端壁が前記ピストン空間６４と連通し、前記環状溝６７の中には環状盤６８がスライド可能に連結され、前記ピストン６９の下端には鎖３３が固定され、前記鎖３３の下端が前記ピストン空間６４の中に位置し、前記ピストン空間６４の上端壁には外部空間と前記ピストン空間６４を連通させる水受けホース２６が設置され、前記水受けホース２６の上端が外部空間に位置し、前記ピストン空間６４の中には昇降ロッド３９が設置され、前記昇降ロッド３９は上端が前記ピストン６９を貫通して下端が外部空間に位置し、前記昇降ロッド３９の下端には回転ロッド４０が固定され、前記昇降ロッド３９の中には水通しパイプ５１が設置され、前記水通しパイプ５１は上端が前記ピストン６９の上側に位置するピストン空間６４と連通して下端が前記回転ロッド４０の内部に位置し、前記水通しパイプ５１の下端の左端壁が前記回転ロッド４０の前端を貫通して外部空間と連通し、前記水通しパイプ５１の下端の右端壁が前記回転ロッド４０の後端を貫通して外部空間と連通し、前記昇降ロッド３９にはまた二つの伝動板５０が固定的に連結され、二つの前記伝動板５０の下端が外部空間に位置し、前記環状ブロック２７の下端面には二つの伝動ロッド４２が固定的に連結され、二つの前記伝動ロッド４２の下端が外部空間に位置し、二つの前記伝動ロッド４２の下端が支え板４１により固定的に連結され、前記伝動板５０の下端と前記昇降ロッド３９の下端がいずれも前記支え板４１を貫通し、前記支え板４１の上端面にはまた前記伝動板５０を回転できるように押す位置制限ブロック３８が固定される。
【００１８】
有益なように、前記駆動機構７０はそれぞれ前記環状空間２５の左端壁と右端壁に位置する駆動空間３６を含み、前記駆動空間３６の下端壁には駆動軸３７が回転可能に連結され、右側の前記駆動空間３６の上端壁には前記駆動軸３７の上端と伝動可能に連結された駆動モーター２８が固定され、前記駆動軸３７の上端には糸巻き車３２が固定され、前記鎖３３の下端が前記ピストン空間６４の下端壁と右側の前記駆動空間３６の右端壁を貫通し、かつ前記糸巻き車３２に巻き付き、前記駆動軸３７の下端にはまた前記環状ブロック２７と噛み合う駆動車３４が固定的に連結され、前記駆動車３４の一端が前記環状空間２５の中に位置し、前記駆動空間３６の片側端壁には前記駆動空間３６と連通するスライド空間４４が設置され、前記スライド空間４４の中にはスライダ３５がスライド可能に連結され、前記スライダ３５の一端が前記駆動車３４と摩擦により連結され、前記細紐４７の前端が前記ばね空間４８の前端壁と前記スライド空間４４の前端壁を貫通し、かつ前記スライダ３５と固定的に連結される。
【００１９】
有益なように、初期状態に、前記捻りばね５７が捻られた状態にあり、前記上げばね２０が圧縮された状態にあり、前記伸縮ばね４５が引っ張られた状態にあり、前記ロープ２３が緩んだ状態にあり、他のばねは全部自然状態にある。
【００２０】
有益なように、前記駆動車３４と前記スライダ３５との間に存在する摩擦力は前記上げばね２０の弾性力と、前記捻りばね５７の弾性力と、前記伸縮ばね４５の弾性力との和より大きい。
【００２１】
本願発明の機械動作の順序は以下の通りである。
【００２２】
１：洗浄する時、作動箱２４を手洗い台１０の上側に位置させ、水受けホース２６を手洗い台１０の上側にある蛇口の口にカバーするように取り付け、この時、駆動モーター２８が作動して右側の駆動軸３７を回転連動させ、右側の駆動車３４を回転連動させ、環状ブロック２７を回転連動させ、そして左側の駆動軸３７と左側の駆動車３４を回転させ、駆動車３４の回転がスライダ３５を前に移動させ、細紐４７が緩くなり、伸縮ばね４５が復帰してばねブロック４６を後ろに移動連動させ、ラックブロック４９を後ろに移動連動させ、旋転歯車６０を回転連動させ、旋転軸６１とリール５６を回転連動させ、引き紐５９を緩くし、捻りばね５７が復帰し、引き紐５９が緩くなるため、上げばね２０が復帰し、上げロッド１７が下がり、連結板１３とスポンジ１２が下がり、スポンジ１２が洗面器１１の端壁と接触する時、洗面器１１の端壁が傾斜するため、スポンジ１２は回転してスポンジ１２の下端が洗面器１１の端壁と接着し、スポンジ１２が下がることを停止する時、上げばね２０がまだ完全に復帰していなく、この時、ロープ２３がちょうど引き締められ、
２：環状ブロック２７が回転する過程に、伝動ロッド４２と支え板４１を回転連動させ、位置制限ブロック３８を回転連動させ、伝動板５０を回転連動させ、昇降ロッド３９と回転ロッド４０を回転連動させ、右側の駆動軸３７が回転する過程に、糸巻き車３２を回転連動させ、鎖３３を引き締め、ピストン６９を下げ、昇降ばね６５を圧縮し、昇降ロッド３９を下方に移動させ、回転ロッド４０を下げ、水通しパイプ５１の水噴射口とスポンジ１２を同じレベルに位置させ、
３：水受けホース２６と連結された蛇口を開け、水通しパイプ５１を介して水を洗面器１１の端壁に噴射し、この時、環状ブロック２７の回転でスポンジ１２と回転ロッド４０が駆動されて回転し、洗面器１１の端壁を濡らすと同時に、スポンジ１２が洗面器１１の端壁を洗い始め、ここで洗浄を始め、電動ガイドレール２１が作動して移動ブロック６３を水噴射機構７２に近づくように駆動し、そしてロープ２３が緩くなり、ロープ２３が下方に移動し続け、スポンジ１２が移動ブロック６３の移動過程にずっと洗面器１１の端壁と接触し、こうしてスポンジ１２が洗面器１１の内壁を完全に洗浄でき、
４：スポンジ１２が洗面器１１の底部を洗浄した時、駆動モーター２８が作動して右側の駆動軸３７を逆方向に回転連動させ、右側の駆動車３４を逆方向に回転させ、環状ブロック２７と左側の駆動車３４を逆方向に回転させ、スライダ３５を復帰させ、細紐４７を引き締め、ばねブロック４６とラックブロック４９を復帰させ、旋転歯車６０を逆方向に回転連動させ、旋転軸６１とリール５６を逆方向に回転連動させ、引き紐５９をきつく引き締め、上げロッド１７を上方に移動させ、スポンジ１２が洗面器１１の端壁から分離し、上げばね２０と伸縮ばね４５が再び圧縮され、捻りばね５７が再び捻られ、ロープ２３が再び緩くなり、右側の駆動軸３７が逆方向に回転して糸巻き車３２を逆転させ、鎖３３を緩め、そして昇降ばね６５が復帰してピストン６９を上方に移動させ、昇降ロッド３９と回転ロッド４０を上方に移動連動させ、環状ブロック２７の回転により昇降ロッド３９と回転ロッド４０が上方に移動する過程に、依然として回転して水を噴射し、こうして洗面器１１の端壁をきれいに洗浄し、電動ガイドレール２１も作動して移動ブロック６３を水噴射機構７２から離れた方向に移動連動させ、洗い機構７３を復帰させ、ピストン６９が復帰する時、駆動モーター２８が回転を停止し、装置が復帰を完成して洗面器１１の端壁に対する洗浄を完成する。
【００２３】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明はトイレ洗面器の洗浄装置を開示した。
【解決手段】
手洗い台を含み、前記手洗い台の中には上方に開口した洗面器が固定され、前記手洗い台の上側には作動箱が設置され、前記作動箱の下端には前記作動箱を支える二つの支えブロックが固定され、前記作動箱の中には環状空間が設置され、前記環状空間の下端壁が外部空間と連通し、前記環状空間の中には回転可能な環状ブロックが設置され、前記環状ブロックの中には二つの移動空間が設置され、本願発明は面器に対する洗浄を自動的に完成でき、手動操作が必要なく、洗面器の洗浄作業の効率を高め、また機械式の洗浄により、洗面器内部の汚れを除去でき、力を省く。
【選択図】図１【図１】
0006807515.tif 000002
【図２】
0006807515.tif 000003
【図３】
0006807515.tif 000004
【図４】
0006807515.tif 000005
【図５】
0006807515.tif 000006
【図６】
0006807515.tif 000007